(57)【要約】【課題】本発明はプラズマディスプレイ装置の駆動方法を提供する。【解決手段】プラズマディスプレイ装置の駆動方法は、リセット期間以前に負極性の第１パルスをスキャン電極に印加する段階、前記リセット期間の間第１電圧から第２電圧まで第１勾配を持って漸進的に上昇した後、前記第２電圧から第３電圧まで第２勾配を持って漸進的に上昇する第２パルスを前記スキャン電極に印加する段階を含み、前記第１勾配と前記２勾配は異なる。【選択図】図４
2007249209.tif 000002
【特許請求の範囲】
【請求項１】
リセット期間以前に負極性の第１パルスをスキャン電極に印加する段階と、
前記リセット期間の間第１電圧から第２電圧まで第１勾配を持って漸進的に上昇した後、前記第２電圧から第３電圧まで第２勾配を持って漸進的に上昇する第２パルスを前記スキャン電極に印加する段階を含み、
前記第１勾配と前記第２勾配は異なることを特徴とするプラズマディスプレイ装置の駆動方法。
【請求項２】
前記第１勾配は前記第２勾配より大きいことを特徴とする、請求項１記載のプラズマディスプレイ装置の駆動方法。
【請求項３】
サステイン期間の間前記スキャン電極に正極性の電圧及び負極性の電圧を交互に持つサステインパルスを印加する段階をさらに含むことを特徴とする、請求項１記載のプラズマディスプレイ装置の駆動方法。
【請求項４】
前記第１パルスは、前記サステイン期間の間前記スキャン電極に印加される負極性の電圧を持つ前記サステインパルスであることを特徴とする、請求項３記載のプラズマディスプレイ装置の駆動方法。
【請求項５】
前記第１パルスは、前記リセット区間以前のフリリセット期間の間前記スキャン電極に印加されるフリリセットパルスであることを特徴とする、請求項１記載のプラズマディスプレイ装置の駆動方法。
【請求項６】
前記第２電圧は前記サステインパルスの内で前記正極性の電圧と実質的に同一であることを特徴とする、請求項３記載のプラズマディスプレイ装置の駆動方法。
【請求項７】
前記第１電圧はグラウンド電圧と実質的に同一であることを特徴とする、請求項１記載のプラズマディスプレイ装置の駆動方法。
【請求項８】
前記第３電圧と前記第２電圧の差は、前記第２電圧と前記第１電圧の差より小さいことを特徴とする、請求項１記載のプラズマディスプレイ装置の駆動方法。
【請求項９】
サステイン電極にはグラウンド電圧が印加されることを特徴とする、請求項１記載のプラズマディスプレイ装置の駆動方法。
【請求項１０】
前記第２パルスが印加されているときに一定電圧を持つパルスがアドレス電極に印加されることを特徴とする、請求項１記載のプラズマディスプレイ装置の駆動方法。
【請求項１１】
前記一定電圧は、アドレス区間の間前記アドレス電極に印加されるデータパルスのデータ電圧と実質的に同一であることを特徴とする、請求項１０記載のプラズマディスプレイ装置の駆動方法。
【請求項１２】
リセット期間以前に負極性の第１パルスをスキャン電極に印加する段階と、
前記リセット期間の間第１電圧から第２電圧まで漸進的に上昇する第２パルスを前記スキャン電極に印加する段階を含むことを特徴とするプラズマディスプレイ装置の駆動方法。
【請求項１３】
前記第１電圧はグラウンド電圧と実質的に同一であることを特徴とする、請求項１２記載のプラズマディスプレイ装置の駆動方法。
【請求項１４】
サステイン期間の間前記スキャン電極に正極性の電圧及び負極性の電圧を交互に持つサステインパルスを印加する段階をさらに含むことを特徴とする、請求項１２記載のプラズマディスプレイ装置の駆動方法。
【請求項１５】
前記第１パルスは前記サステイン期間の間前記スキャン電極に印加される負極性の電圧を持つ前記サステインパルスであることを特徴とする、請求項１４記載のプラズマディスプレイ装置の駆動方法。
【請求項１６】
前記第１パルスは、前記リセット区間以前のフリリセット期間の間前記スキャン電極に印加されるフリリセットパルスであることを特徴とする、請求項１２記載のプラズマディスプレイ装置の駆動方法。
【請求項１７】
サステイン電極にはグラウンド電圧が印加されることを特徴とする、請求項１２記載のプラズマディスプレイ装置の駆動方法。
【請求項１８】
前記第２パルスが印加されているときに一定電圧を持つパルスがアドレス電極に印加されることを特徴とする、請求項１２記載のプラズマディスプレイ装置の駆動方法。
【請求項１９】
前記一定電圧はアドレス区間の間前記アドレス電極に印加されるデータパルスのデータ電圧と実質的に同一であることを特徴とする、請求項１８記載のプラズマディスプレイ装置の駆動方法。
【発明の詳細な説明】
【技術分野】
【０００１】
本発明はディスプレイ装置に関し、さらに詳しくはプラズマディスプレイ装置の駆動方法に関する。
【背景技術】
【０００２】
一般的にディスプレイ装置の内でプラズマディスプレイ装置は、プラズマディスプレイパネルとプラズマディスプレイパネルを駆動するための駆動部を含む。
【０００３】
一般的にプラズマディスプレイパネルは前面パネルと背面パネルの間に形成された隔壁が一つの放電セルを成すことで、各放電セル内にはネオン（Ｎｅ）、ヘリウム（Ｈｅ）またはネオン及びヘリウムの混合気体（Ｎｅ＋Ｈｅ）のような主放電気体と少量のキセノン（Ｘｅ）を含む不活性ガスが充填されている。
【０００４】
このような放電セルが複数個が集まって一つのピクセル（Ｐｉｘｅｌ）を成す。例えば赤色（Ｒｅｄ、Ｒ）放電セル、緑色（Ｇｒｅｅｎ、Ｇ）放電セル、青色（Ｂｌｕｅ、Ｂ）放電セルが集まって一つのピクセルを成すものである。
【０００５】
そしてこのようなプラズマディスプレイパネルは高周波電圧によって放電になる時、不活性ガスは真空紫外線（Ｖａｃｕｕｍ Ｕｌｔｒａｖｉｏｌｅｔ ｒａｙｓ）を発生して隔壁の間に形成された蛍光体を発光させて画像が具現される。このようなプラズマディスプレイパネルは薄く軽い構成が可能なので次世代表示装置として脚光を浴びている。
【０００６】
一方、 従来のプラズマディスプレイ装置はリセット期間に間発生される光によってコントラスト（Ｃｏｎｔｒａｓｔ）が低下される問題点がある。
【発明の開示】
【発明が解決しようとする課題】
【０００７】
本発明の目的は、リセット区間で発生するブラック（ｂｌａｃｋ）光を減らしてディスプレイ映像の輝度を増加させて、パネル駆動にあってマージンを確保することができるようにするプラズマディスプレイ装置の駆動方法を提供することにある。
【課題を解決するための手段】
【０００８】
本発明の一つの実施形態に係るプラズマディスプレイ装置の駆動方法はリセット期間以前に負極性の第１パルスをスキャン電極に印加する段階、前記リセット期間の間第１電圧から第２電圧まで第１勾配を持って漸進的に上昇した後、前記第２電圧から第３電圧まで第２勾配を持って漸進的に上昇する第２パルスを前記スキャン電極に印加する段階を含み、前記第１勾配と前記２勾配は異なリ得る。
【０００９】
前記第１勾配は前記第２勾配より大きくしてもよい。
【００１０】
サステイン期間の間前記スキャン電極に正極性の電圧及び負極性の電圧を交互に持つサステインパルスを印加する段階をさらに含めてもよい。
【００１１】
前記第１パルスは前記サステイン期間の間前記スキャン電極に印加される負極性の電圧を持つ前記サステインパルスであり得る。
【００１２】
前記第１パルスは前記リセット区間以前のフリリセット期間の間前記スキャン電極に印加されるフリリセットパルスであり得る。
【００１３】
前記第２電圧は前記サステインパルスの内で前記正極性の電圧と実質的に同一としてもよい。
【００１４】
前記第１電圧はグラウンド電圧と実質的に同一としてもよい。
【００１５】
前記第３電圧と前記第２電圧の差は前記第２電圧と前記第１電圧の差より小さくしてよい。
【００１６】
サステイン電極にはグラウンド電圧が印加されるようにしてもよい。
【００１７】
前記第２パルスが印加されるうちに一定電圧を持つパルスがアドレス電極に印加されるようにしてもよい。
【００１８】
前記一定電圧は、アドレス区間の間前記アドレス電極に印加されるデータパルスのデータ電圧と実質的に同一としてもよい。
【００１９】
本発明の他の一つの実施形態に係るプラズマディスプレイ装置の駆動方法はリセット期間以前に負極性の第１パルスをスキャン電極に印加する段階及び前記リセット期間の間第１電圧から第２電圧まで漸進的に上昇する第２パルスを前記スキャン電極に印加する段階を含む。
【００２０】
前記第１電圧はグラウンド電圧と実質的に同一としてもよい。
【００２１】
サステイン期間の間前記スキャン電極に正極性の電圧及び負極性の電圧を交互に持つサステインパルスを印加する段階をさらに含めてもよい。
【００２２】
前記第１パルスは前記サステイン期間の間前記スキャン電極に印加される負極性の電圧を持つ前記サステインパルスであり得る。
【００２３】
前記第１パルスは前記リセット区間以前のフリリセット期間の間前記スキャン電極に印加されるフリリセットパルスであり得る。
【００２４】
サステイン電極にはグラウンド電圧が印加されるようにしてもよい。
【００２５】
前記第２パルスが印加されるうちに一定電圧を持つパルスがアドレス電極に印加されるようにしてもよい。
【００２６】
前記一定電圧は、アドレス区間の間前記アドレス電極に印加されるデータパルスのデータ電圧と実質的に同一としてもよい。
【発明の効果】
【００２７】
本発明のプラズマディスプレイ装置の駆動方法によると、リセットパルスの最高上昇電圧を低くすることができてブラック（ｂｌａｃｋ）光の発生を弱めたり、プラズマディスプレイ装置の駆動にあって高いマージンを確保したりすることができる。
【発明を実施するための最良の形態】
【００２８】
以下では本発明の一実施形態に係る具体的な実施形態を添付された図面を参照して説明する。
【００２９】
図１は本発明の一実施形態に係るプラズマディスプレイ装置を説明するための図である。
【００３０】
図１を注意深く見れば、本発明の一つの実施形態に係るプラズマディスプレイ装置はプラズマディスプレイパネル１００とこのようなプラズマディスプレイパネル１００の電極に所定の駆動電圧を供給するための駆動部、望ましくはデータ駆動部１０１、スキャン駆動部１０２、サステイン駆動部１０３を含む。
【００３１】
ここで、スキャン駆動部１０２およびサステイン駆動部１０３は第１駆動部であることがあり、データ駆動部１０１は第２駆動部であることがある。
【００３２】
ここで、プラズマディスプレイパネル１００は、前面パネル（図示せず）と背面パネル（図示せず）が一定な間隔を置いて合着されて、複数の電極、例えばスキャン電極（Ｙ）とサステイン電極（Ｚ）が複数形成されることが望ましい。
【００３３】
このようなプラズマディスプレイパネル１００の構造について図２を参照してさらに詳しく注意深く見れば次のとおりである。
【００３４】
図２は本発明の一実施形態に係るプラズマディスプレイ装置でプラズマディスプレイパネルの構造の一例を説明するための図である。
【００３５】
図２を注意深く見れば、本発明の一実施形態に係るプラズマディスプレイ装置のプラズマディスプレイパネル１００は画像がディスプレイされる表示面である前面基板２０１にスキャン電極（２０２、Ｙ）とサステイン電極（２０３、Ｚ）が形成された前面パネル２００及び背面を成す背面基板２１１上に前述のスキャン電極（２０２、Ｙ）及びサステイン電極（２０３、Ｚ）と交差されるように複数のアドレス電極（２１３、Ｘ）が配列された背面パネル２１０が一定距離を間に置いて並んで結合される。
【００３６】
前面パネル２００は一つの放電空間、すなわち、放電セルで相互放電させて放電セルの発光を維持するためのスキャン電極（２０２、Ｙ）及びサステイン電極（２０３、Ｚ）、すなわち透明なＩＴＯ物質に形成された透明電極（ａ）と金属材質で製作されたバス電極（ｂ）で備えたスキャン電極（２０２、Ｙ）及びサステイン電極（２０３、Ｚ）を含む。
【００３７】
スキャン電極（２０２、Ｙ）及びサステイン電極（２０３、Ｚ）は放電電流を制限して電極対の間を絶縁させてくれる一つ以上の上部誘電体層２０４によって覆わせられて、上部誘電体層２０４上面には放電条件を容易くするために酸化マグネシウム（ＭｇＯ）を蒸着した保護階２０５が形成される。
【００３８】
背面パネル２１０は、複数個の放電空間、すなわち、放電セルを形成させるためのストライプタイプ(またはウェルタイプ)の隔壁２１２が平行を維持して配列される。また、アドレス放電を遂行して真空紫外線を発生させる複数のアドレス電極（２１３、Ｘ）が隔壁２１２に対して平行に配置される。
【００３９】
背面パネル２１０の上側面にはアドレス放電時画像表示のための可視光線を放出するＲ、Ｇ、Ｂ蛍光体２１４が塗布される。アドレス電極（２１３、Ｘ）と蛍光体２１４の間にはアドレス電極（２１３、Ｘ）を保護するための下部誘電体層２１５が形成される。
【００４０】
ここで図２では本発明のプラズマディスプレイパネルの一例について説明したが、本発明は、図２のプラズマディスプレイパネルに限定されるものではない。
【００４１】
例えば、図２ではスキャン電極（２０２、Ｙ）とサステイン電極（２０３、Ｚ）はそれぞれ透明電極（ａ）とバス電極（ｂ）からなる場合について示しているが、これとは異なり、例えば、スキャン電極（２０２、Ｙ）とサステイン電極（２０３、Ｚ）の内の少なくとも一つ以上が、バス電極（ｂ）のみから構成されたり、または透明電極（ａ）だけで構成されてもよい。
【００４２】
また、スキャン電極（２０２、Ｙ）とサステイン電極（２０３、Ｚ）が前面パネル２００に含まれ、アドレス電極（２１３、Ｘ）が背面パネル２１０に含まれる場合について説明しているが、前面パネル２００にすべての電極が形成されたり、あるいはスキャン電極（２０２、Ｙ）、サステイン電極（２０３、Ｚ）およびアドレス電極（２１３、Ｘ）の内の少なくとも何れか一つの電極が、隔壁２１２上に形成されてもよい。
【００４３】
図２の内容を考慮すると、本発明が適用されるプラズマディスプレイパネルは、駆動電圧を供給するためのスキャン電極（２０２、Ｙ）、サステイン電極（２０３、Ｚ）及びアドレス電極（２１３、Ｘ）が形成されれば、その以外の条件は、特に問わない。
【００４４】
ここで、図１に戻って説明する。
【００４５】
スキャン駆動部１０２は、リセット期間にプラズマディスプレイパネル１００のスキャン電極（Ｙ）でリセットパルスを供給し、アドレス期間にスキャンパルスを供給し、サステイン期間に正極性の電圧及び負極性の電圧を持つサステインパルスを供給する。
【００４６】
サステイン駆動部１０３は、画像を表示するサステイン期間でサステイン電極（Ｚ）でグラウンド電圧を供給する。
【００４７】
データ駆動部１０１は、アドレス期間でプラズマディスプレイパネル１００のアドレス電極（Ｘ）にデータパルス（Ｖｄ）を供給する。
【００４８】
図３は一つのフレーム（ｆｒａｍｅ）を複数のサブフィールドで分けて時分割駆動させる方法を示すタイミング図である。
【００４９】
図３に示すように、単位フレームは時分割階調表示を実現するために所定個数、例えば８個のサブフィールド（ＳＦ１、．．．、ＳＦ８）に分割されることができる。
【００５０】
また、各サブフィールド（ＳＦ１、．．．ＳＦ８）はリセット区間（図示せず）と、アドレス区間（Ａ１、．．．、Ａ８）及び、サステイン区間（Ｓ１、．．．、Ｓ８）に分割される。
【００５１】
各アドレス区間（Ａ１、．．．、Ａ８）では、アドレス電極（Ｘ）にデータパルスが印加されて、各スキャン電極（Ｙ）に相応するスキャンパルスが順に印加される。
【００５２】
各サステイン区間（Ｓ１、．．．Ｓ８）では、スキャン電極（Ｙ）に正極性の電圧及び負極性の電圧を持つサステインパルスが印加されてサステイン電極（Ｚ）にグラウンド電圧が供給されて、アドレス区間（Ａ１、．．．、Ａ８）で壁電荷が形成された放電セルでサステイン放電を起こす。
【００５３】
プラズマディスプレイパネルの輝度は単位フレームで占めるサステイン放電区間（Ｓ１、．．．、Ｓ８）内のサステイン放電パルス個数に比例する。１画像を形成する一つのフレームが、８個のサブフィールドと２５６階調に表現される場合に、各サブフィールドには順に１、２、４、８、１６、３２、６４、１２８の割合でお互いに異なるサステインパルスの数が割り当てされることができる。
【００５４】
仮に１３３階調の輝度を得る場合、そのために、サブフィールド1区間、サブフィールド３区間及びサブフィールド８区間の間セルをアードレッシンしてサステイン放電すれば良い。
【００５５】
各サブフィールドに割り当てされるサステイン放電数は、ＡＰＣ（Ａｕｔｏｍａｔｉｃ Ｐｏｗｅｒ Ｃｏｎｔｒｏｌ）段階によるサブフィールドの加重値によって可変的に決まることができる。
【００５６】
また各サブフィールドに割り当てされるサステイン放電数は、ガンマ特性やパネル特性を考慮して多様に変形することが可能である。
【００５７】
例えばサブフィールド４に割り当てされた階調図を８から６に低め、サブフィールド６に割り当てされた階調図を３２から３４で高めることができる。また、一フレームを形成するサブフィールドの数も設計仕様によって多様に変形することが可能である。
【００５８】
図４は本発明の第１実施形態に係るプラズマディスプレイ装置の駆動方法による駆動波形を示す図である。
【００５９】
図４に示すように、一つのサブフィールド（ＳＦ）は、リセット区間、アドレス区間、サステイン区間で構成される。
【００６０】
リセット区間で、スキャン電極（Ｙ１、．．．、Ｙｎ）それぞれに第１電圧（Ｖ１）から第２電圧（Ｖ２）まで第１勾配を持って漸進的に上昇した後、第２電圧（Ｖ２）から最高上昇電圧である第３電圧（Ｖ３）まで第２勾配を持って漸進的に上昇する第３パルスを含む上昇パルスが印加される。
【００６１】
前記のような上昇パルスの印加によって弱放電が発生して、前記弱放電が発生しながらスキャン電極付近に陰電荷が蓄積し始めるのに、これに対する詳しい説明は後述する事にする。
【００６２】
スキャン電極（Ｙ１、．．．、Ｙｎ）にグラウンド電圧（ＧＮＤ）まで急激に立ち下がるパルスが印加された後、下降パルスが印加されて最低下降電圧まで到達する。
【００６３】
前記下降パルスが印加されるによって放電が発生し、前記放電が発生しながらスキャン電極付近に蓄積された陰電荷の一部が放出される。
【００６４】
結局、スキャン電極付近にはアドレス放電が発生するのに適当な量の陰電荷が残るようになる。サステイン電極（Ｚ）及びアドレス電極（Ｘ）にはグラウンド電圧（ＧＮＤ）が印加される。
【００６５】
サステイン電極（Ｚ）には、前記リセット区間だけではなくアドレス区間及びサステイン区間全体にグラウンド電圧（ＧＮＤ）が印加され、サステイン電極（Ｚ）にパルスを印加した回路をとり除くことにより、駆動回路の製造費用を節減させることができる。
【００６６】
アドレス区間では、大きくなければならないセルを選択するためにスキャン電極（Ｙ１、．．．、Ｙｎ）に先にスキャンバイアス電圧が印加されている途中順次にスキャン電極別で負極性のスキャン電圧を持つスキャンパルスが印加される。
【００６７】
アドレス電極（Ｘ）にデータ電圧（Ｖａ）を持つデータパルスが前記スキャンパルスに合わせて印加される。サステイン電極（Ｚ）には続いてグラウンド電圧（ＧＮＤ）が印加される。
【００６８】
前記データ電圧（Ｖａ）、スキャン電圧、スキャン電極（Ｙ）付近に形成された陰電荷による璧電圧及びアドレス電極（Ｘ）付近に形成された陽電荷による璧電圧によってアドレス放電が遂行される。
【００６９】
前記アドレス放電遂行後、スキャン電極（Ｙ）付近には陽電荷が蓄積され、サステイン電極（Ｚ）付近には陰電荷が蓄積される。
【００７０】
サステイン区間で、スキャン電極（Ｙ１、．．．、Ｙｎ）には正極性のサステイン電圧（Ｖｓ）と負極性のサステイン電圧（−Ｖｓ）を持つサステインパルス（ＳＵＳＰ）が交互に印加されて、サステイン電極（Ｚ）にはグラウンド電圧（ＧＮＤ）が印加される。
【００７１】
サステイン区間で、前記スキャン電極（Ｙ）には正極性のサステイン電圧（Ｖｓ）と負極性のサステイン電圧（−Ｖｓ）の間に中間電圧であるグラウンド電圧（ＧＮＤ）が印加されることが望ましい。前記中間電圧がさらに印加されることで、正極性のサステイン電圧（Ｖｓ）と負極性のサステイン電圧（−Ｖｓ）の間の急激な電圧変化を防止するようになる。
【００７２】
スキャン電極（Ｙ）に正極性のサステイン電圧（Ｖｓ）が印加される場合、サステイン電極（Ｙ）に印加された正極性のサステイン電圧（Ｖｓ）、サステイン電極（Ｚ）に印加されたグラウンド電圧（ＧＮＤ）、スキャン電極（Ｙ）付近に蓄積していた陽電荷による璧電圧及びサステイン電極（Ｚ）付近に蓄積していた陰電荷による璧電圧によってサステイン放電が遂行されながら、スキャン電極（Ｙ）付近には陰電荷が蓄積してサステイン電極（Ｚ） 付近には陽電荷が蓄積される。
【００７３】
スキャン電極（Ｙ）に負極性のサステイン電圧（−Ｖｓ）が印加される場合、スキャン電極（Ｙ）に印加された負極性のサステイン電圧（−Ｖｓ）、サステイン電極（Ｚ）に印加されたグラウンド電圧（ＧＮＤ）、スキャン電極（Ｙ）付近に蓄積された陰電荷による璧電圧及びサステイン電極（Ｚ）に蓄積された陽電荷による璧電圧によってサステイン放電が遂行されながら、スキャン電極（Ｙ）付近には陽電荷が蓄積されサステイン電極（Ｚ）付近には陰電荷が蓄積される。
【００７４】
前記のように正極性のサステイン電圧（Ｖｓ）と負極性のサステイン電圧（−Ｖｓ）が交互にスキャン電極（Ｙ）に繰り返されて印加されるによって、サステイン放電があらかじめ設定された回数程度発生するようになる。
【００７５】
ここで、本発明の第１実施形態に係るプラズマディスプレイ装置の駆動方法による駆動波形を見れば、サステイン区間でスキャン電極（Ｙ）に印加されるサステインパルスは正極性電圧と負極性電圧を交互に持って、負極性電圧で終わることができる。
【００７６】
正極性電圧がスキャン電極（Ｙ）に印加されてサステイン放電が終わった場合にはスキャン電極（Ｙ）付近には陰電荷が蓄積されるようになってサステイン電極（Ｚ）付近には陽電荷が蓄積されるようになるので、 放電を発生させて前記形成された壁電荷状態を初期化させるためにはリセット区間の上昇パルスが高い電圧を持たなければならない。
【００７７】
しかし、以前サブフィールド(第ｍサブフィールド)のサステイン区間を負極性の電圧（−Ｖｓ）で終了すれば、次サブフィールド(第（ｍ＋１) サブフィールド)のリセット区間が始まる時の電極の電荷分布はスキャン電極（Ｙ）付近に陽電荷が蓄積されるようになってサステイン電極（Ｚ）付近には陰電荷が蓄積されるようになる。
【００７８】
この場合、第１電圧（Ｖ１）、例えばグラウンド電圧から第２電圧（Ｖ２）、例えばサステイン電圧（Ｖｓ）まで第１勾配を持って漸進的に上昇した後、第２電圧（Ｖ２）から第３電圧（Ｖ３）まで第２勾配を持って漸進的に上昇する第２パルスを含む上昇パルスをスキャン電極（Ｙ）に印加する。
【００７９】
これによって、リセット区間に印加される上昇パルスの最高上昇電圧である第３電圧（Ｖ３）大きさが小くなるによって上昇パルスによってリセット区間で発生するブラック（ｂｌａｃｋ）光を減らすことができる。
【００８０】
ここで、第１勾配は第２勾配より大きくなることができる。また、第３電圧（Ｖ３）と第２電圧（Ｖ２）の差は第２電圧（Ｖ２）と第１電圧（Ｖ１）の差より小さいことがある。
【００８１】
また、以前サブフィールド(第ｍサブフィールド)のサステイン区間を負極性の電圧（−Ｖｓ）で終了してスキャン電極（Ｙ）付近に陽電荷が蓄積してサステイン電極（Ｚ）付近に陰電荷が蓄積された状態で、従来のようにサステイン電圧（Ｖｓ）まで急激に増加する電圧をスキャン電極（Ｙ）に印加する場合には強放電が発生する。
【００８２】
しかし、以前サブフィールド(第ｍサブフィールド)のサステイン区間を負極性の電圧（−Ｖｓ）で終了した後、グラウンド電圧（ＧＮＤ）でサステイン電圧（Ｖｓ）まで徐徐に上昇する第１勾配を持つ第２パルスをスキャン電極（Ｙ）に印加すればリセット区間で弱放電を発生させることができる。
【００８３】
また、第１勾配より小さな第２勾配を持つ第２パルスをスキャン電極（Ｙ）に印加した場合、漸進的に上昇する第２パルスによって放電空間に印加される電圧が放電開始電圧（Ｖｆ）に至れば、放電空間で光をほとんど発生させない暗放電（ｄａｒｋ（ｔｏｗｎｓｅｎｄ） ｄｉｓｃｈａｒｇｅ）が発生される。
【００８４】
前記暗放電(ｄａｒｋ（ｔｏｗｎｓｅｎｄ） ｄｉｓｃｈａｒｇｅ)によって発生された電流が電極のキャパシタンスを充電させるによって放電空間に印加される電圧を減少させる負のフィードバック（ｎｅｇａｔｉｖｅ ｆｅｅｄｂａｃｋ）現象が発生する。
【００８５】
それによって、放電空間に印加される電圧が前記放電開始電圧（Ｖｆ）で維持されて光をほとんど発生させない暗放電状態が続く。前記上昇パルスの勾配が急な場合には、放電空間に印加される電圧が放電開始電圧（Ｖｆ） 以上に増加するようになって光が発生するグロー放電（ｇｌｏｗ ｄｉｓｃｈａｒｇｅ）が進行されるようになる。
【００８６】
したがって前記第１及び第２勾配は前記のような関係を考慮して、リセット区間で暗放電が発生するように設定されることができる。
【００８７】
一方、第２パルスを含む上昇パルスがスキャン電極（Ｙ）に印加される間には、アドレス電極（Ｘ）に一定電圧を持つパルスになることができる。
【００８８】
ここで、一定電圧はアドレス区間の間アドレス電極に印加されるデータパルスのデータ電圧（Ｖａ）と同一であることがあるのにこれは別途の電圧源を備えなくて前述した一定電圧を供給するためである。
【００８９】
図５は本発明の第２実施形態に係るプラズマディスプレイ装置の駆動方法による駆動波形を示す図である。
【００９０】
ここで、本発明の第２実施形態に係るプラズマディスプレイ装置の駆動方法による駆動波形に関する特徴の内、図４の本発明の第１実施形態に係るプラズマディスプレイ装置の駆動方法による駆動波形に関する特徴と実質的に同一である部分はその説明を省略する。
【００９１】
本発明の第２実施形態に係るプラズマディスプレイ装置の駆動方法による駆動波形は、リセット区間以前にフリリセット区間に負極性のフリリセットパルス（ＰＲＰ）がスキャン電極（Ｙ）に印加される。
【００９２】
この場合、リセット区間が始まる時の電極の電荷分布はスキャン電極（Ｙ）付近に陽電荷が蓄積されるようになってサステイン電極（Ｚ）付近には陰電荷が蓄積されるようになる。
【００９３】
したがって、フリリセット区間以後のリセット区間に第１電圧（Ｖ１）、例えばグラウンド電圧から第２電圧（Ｖ２）、例えばサステイン電圧（Ｖｓ）まで第１勾配を持って漸進的に上昇した後、第２電圧（Ｖ２）から第３電圧（Ｖ３）まで第２勾配を持って漸進的に上昇する第２パルスを含む上昇パルスをスキャン電極（Ｙ）に印加することで、リセット区間に印加される上昇パルスの最高上昇電圧を低くすることができるし、弱放電状態を持続させてブラック（ｂｌａｃｋ）光の発生を最小化することができる。
【００９４】
図６は本発明の第３実施形態に係るプラズマディスプレイ装置の駆動方法による駆動波形を示す図である。
【００９５】
ここで、本発明の第３実施形態に係るプラズマディスプレイ装置の駆動方法による駆動波形に関する特徴の内、図４の本発明の第１実施形態に係るプラズマディスプレイ装置の駆動方法による駆動波形に関する特徴と実質的に同一である部分はその説明を省略する。
【００９６】
本発明の第３実施形態に係るプラズマディスプレイ装置の駆動方法による駆動波形は、本発明の第１実施形態に係るプラズマディスプレイ装置の駆動方法による駆動波形とは異なりリセット区間に印加される上昇パルスがグラウンド（Ｖ１）電圧から第２電圧（Ｖ１）まで一つの勾配を持って上昇する。
【００９７】
すなわち、従来のリセット区間に印加される上昇パルスの場合にはサステイン電圧（Ｖｓ）まで急激に増加した後、所定の電圧まで漸進的に上昇するので、強放電が発生した。
【００９８】
しかし、本発明の第３実施形態に係るプラズマディスプレイ装置の駆動方法による駆動波形は以前サブフィールド(第ｍサブフィールド)のサステイン区間を負極性の電圧（−Ｖｓ）で終了する場合、グラウンド（ＧＮＤ）電圧（Ｖ１）から第２電圧（Ｖ２）まで一つの勾配を持って漸進的に上昇する第２パルスを印加することで、上昇パルスの最高上昇電圧である第２電圧（Ｖ２）の大きさが小くなり、上昇パルスによってリセット区間で発生するブラック（ｂｌａｃｋ）光を減らすことができる。
【００９９】
図７は本発明の第４実施形態に係るプラズマディスプレイ装置の駆動方法による駆動波形を示す図である。
【０１００】
ここで、本発明の第４実施形態に係るプラズマディスプレイ装置の駆動方法による駆動波形に関する特徴の内、図５の本発明の第２実施形態に係るプラズマディスプレイ装置の駆動方法による駆動波形に関する特徴と実質的に同一である部分はその説明を省略する。
【０１０１】
本発明の第４実施形態に係るプラズマディスプレイ装置の駆動方法による駆動波形は、本発明の第２実施形態に係るプラズマディスプレイ装置の駆動方法による駆動波形とは異なりリセット区間に印加される上昇パルスがグラウンド（Ｖ１）電圧から第２電圧（Ｖ２）まで一つの勾配を持って上昇する。
【０１０２】
すなわち、従来のリセット区間に印加される上昇パルスの場合にはサステイン電圧（Ｖｓ）まで急激に増加した後、所定の電圧まで漸進的に上昇するので、強放電が発生した。      
【０１０３】
しかし、本発明の第３実施形態に係るプラズマディスプレイ装置の駆動方法による駆動波形は以前サブフィールド(第ｍサブフィールド)のサステイン区間を負極性の電圧（−Ｖｓ）で終了する場合、グラウンド（ＧＮＤ）電圧（Ｖ１）から第２電圧（Ｖ２）まで一つの勾配を持って漸進的に上昇する第２パルスを印加する。
【０１０４】
これにより、上昇パルスの最高上昇電圧である第２電圧（Ｖ２）の大きさが小くなることができるので、上昇パルスによってリセット区間で発生するブラック（ｂｌａｃｋ）光を減らすことができる。
【図面の簡単な説明】
【０１０５】
【図１】本発明の一つの実施形態に係るプラズマディスプレイ装置を説明するための図である。
【図２】本発明の一つの実施形態に係るプラズマディスプレイ装置でプラズマディスプレイパネルの構造の一例を説明するための図である。
【図３】一つのフレーム（ｆｒａｍｅ）を複数のサブフィールドで分けて時分割駆動させる方法を示すタイミング図である。
【図４】本発明の第１実施形態に係るプラズマディスプレイ装置の駆動方法による駆動波形を示す図である。
【図５】本発明の第２実施形態に係るプラズマディスプレイ装置の駆動方法による駆動波形を示す図である。
【図６】本発明の第３実施形態に係るプラズマディスプレイ装置の駆動方法による駆動波形を示す図である。
【図７】本発明の第４実施形態に係るプラズマディスプレイ装置の駆動方法による駆動波形を示す図である。
【図１】
2007249209.tif 000003
【図２】
2007249209.tif 000004
【図３】
2007249209.tif 000005
【図４】
2007249209.tif 000006
【図５】
2007249209.tif 000007
【図６】
2007249209.tif 000008
【図７】
2007249209.tif 000009